(57)【特許請求の範囲】
【請求項１】
弾性板状で略楕円形に形成されたパッド本体と、
前記パッド本体の表裏両面に突設された複数の押圧用突起とで構成されたマッサージパッドであって、
前記パッド本体の一方の長円弧辺の中央から外方に向けて細長い角状突起が突設されており、
前記パッド本体の少なくとも一方の表面の中央部分には、前記角状突起の先端から、角状突起の反対側の長円弧まで及ぶ凸畝状のリブが前記パッド本体の短軸に沿って突設されていることを特徴とするマッサージパッド。
【請求項２】
前記押圧用突起の形状が前記パッド本体の表裏で異なっていることを特徴とする請求項１に記載のマッサージパッド。
【発明の詳細な説明】
【技術分野】
【０００１】
本発明は、収納場所を取らず、手の内に固定することが出来て握るとバネのような弾力性を感じ、握るだけで手のひらのツボを効果的にマッサージできるマッサージパッドに関する。
【背景技術】
【０００２】
手のひらのマッサージ器具として特許文献１に記載のようなものが提案されている。このものは、手のひらで握る袋体と、袋体の一端部に設けられた吸排気孔と、袋体の他端部に設けられた押圧体と、袋体の表面に設けられた複数の突起とからなり、袋体は、手のひらで握る際の弾性力と手のひらを広げた際の復元力とを有する弾性材にて形成されている。
【０００３】
袋体の突起は握った時に、手のひらのツボを強く押圧するため繰り返してこれを握ることにより、手のひらのツボのマッサージ効果を高めることができる。（例えば、特許文献１参照）。
【先行技術文献】
【特許文献】
【０００４】
【特許文献１】実用新案登録第３１５０２６７号公報
【発明の概要】
【発明が解決しようとする課題】
【０００５】
しかしながら、このマッサージ器具は、手に握れる大きさのラグビー球状のものであるため、嵩高くポケットなどに収納することができず、持ち運びに不便であるという問題があった。また、指の間に固定するようなものがないので握り動作を繰り返している時に誤って取り落としてしまうという問題もあった。
【０００６】
本発明は、このような従来例の問題に鑑みてなされたもので、その目的とするところは、ポケットにも嵩張ることなく収納することができ、使用中に落とすこともない簡便なマッサージパッドを提供することにある。
【課題を解決するための手段】
【０００７】
請求項１に記載したマッサージパッドＡは、
弾性板状で略楕円形に形成されたパッド本体１と、
パッド本体１の表裏両面に突設された複数の押圧用突起３，４とで構成されたマッサージパッドＡであって、
パッド本体１の一方の長円弧辺６の中央から外方に向けて細長い角状突起５が突設されており、
パッド本体１の少なくとも一方の表面の中央部分には、角状突起５の先端から、角状突起５の反対側の長円弧７まで及ぶ凸畝状のリブ２がパッド本体１の短軸に沿って突設されていることを特徴とする。
【０００８】
請求項２は、請求項１に記載のマッサージパッドＡにおいて、
押圧用突起３，４の形状がパッド本体１の表裏で異なっていることを特徴とする。
【発明の効果】
【００１０】
本発明では、マッサージパッドＡを握ると握った手のひらの形に合わせて屈曲変形する。屈曲変形したマッサージパッドＡは、パッド本体１自体の弾発力に加えてパッド本体１の中央に突設されている屈曲変形したリブ２が握った手にゴム弾性による反発力を与える。そして、パッド本体１に設けられた一方の押圧用突起３（４）が手のひらに強く押圧して手のひらのツボを強く押し、反対側の面の押圧用突起４（３）が、指先の腹を強く押す。そして、握った手を強く握りしめたり、緩めたりする動作を繰り返すと、強弱をつけながら押圧用突起３（４）が手のひらや指先のツボを押すことになり、マッサージ効果を高める。押圧用突起３（４）はパッド本体１の一面だけに設けておいてもよいが、表裏両面に設け、表裏の押圧用突起３（４）の形状を変えておけば、マッサージの時に、パッド本体１の使用する面を選択することで好みの指圧感を得ることができる。
【００１１】
そして、パッド本体１の一方の長円弧辺６から外方に向けて角状突起５を突設しておけば、握った指の間にこの角状突起５が挟まれることになり、マッサージ中にマッサージパッドＡが手の中の納まっていて踊ることがなく、また、マッサージ中に不用意に落とすこともない。マッサージが終わるとそのままポケットに収納すると、マッサージパッドＡは平たく伸びた板状に戻り、ポケット内で嵩張ることがない。
【図面の簡単な説明】
【００１２】
【図１】本発明の正面図である。
【図２】図１の背面図である。
【図３】図２断面図である。
【図４】本発明の使用状態を示す斜視図である。
【発明を実施するための形態】
【００１３】
以下、発明を図示実施例に従って説明する。マッサージパッドＡは全体が例えば、ゴム（ニトリルゴム、シリコーンゴム）のような弾性エラストマで一体成形されており、パッド本体１は平面形状が略楕円形で、長辺部分が大きい円弧の長円弧辺６，７に形成され短辺側が小さい円弧の短円弧辺８，９に形成された薄い板状のもので、手のひらサイズの大きさに形成されている。パッド本体１の少なくとも一方の表面の中央部分にはパッド本体１の短軸に沿って全幅に亙って細長いリブ２が凸畝状に突設されている。リブ２の稜線は全体に亙って丸みをつけられている。リブ２は後述する必要に応じて設けられる角状突起５の先端から角状突起５の反対側の長円弧辺７まで及んでいる。そして、長いリブ２は、リブ先端部分２ａから反対側の長円弧辺７近傍のリブ後端部分２ｂに向けてその幅Ｓが漸増するように形成されている。本実施例では、長いリブ２はパッド本体１の片面に形成されているが、勿論、対称に表裏両面に設けても良い。また、長いリブ２の高さＨは本実施例と同じ高さに形成されているが、リブ後端部分２ｂに向けて長いリブ２の高さＨを漸増するようにしてもよい。なお、内部には遠赤外線やマイナスイオンを発生させる粉末を練り込んでおいてもよい。ゴム硬度は５０〜６５度が好ましく、６０から６３度の範囲がより好ましい。
【００１４】
パッド本体１の反対側の面には、角状突起５から角状突起５側の長円弧辺６を若干超える位置までの短いリブ１０が角状突起５に合わせて形成されており、そのリブ先端部分１０ａからリブ後端部分１０ｂに向けてその幅Ｓが漸増するように形成されている。リブ１０の高さＨは同じ高さに形成されている。なお、短いリブ１０の高さＨも長いリブ２と同様リブ後端部分１０ｂに向けて長いリブ２の高さＨを漸増するようにしてもよい。
【００１５】
角状突起５は、パッド本体１の一方の長円弧辺６の中央から外方に向かって突設されており、その表裏にリブ２，１０が形成されている。角状突起５は本実施例では設けられているが、設けなくてもよい。なお、表裏にリブ２，１０が形成されておれば、厚みがあるので握った時、指の股に挟み込みやすい。
【００１６】
押圧用突起３（４）は、パッド本体１の一面だけに設けても良いが、本実施例では、表裏両面に複数の押圧用突起３，４が突設されている場合を代表して説明する。長いリブ２を設けた側の面を表面とし、表面の押圧用突起を３で示し、裏側の押圧用突起を４で示す。表面の、最外周の押圧用突起３はパッド本体１の長円弧辺６，７及び短円弧辺８，９に沿って一定間隔で配置されている。そして、最外周の押圧用突起３の内側に多重で内側の押圧用突起３が同様に配列されている。表面側の押圧用突起３は先端が丸く形成された円錐状である。
【００１７】
裏側の押圧用突起４は、パッド本体１の両翼に同心円状に押圧用突起４が多列形成されており、同心円状に形成された突起模様の間には略平行に押圧用突起４列が長円弧辺６，７に沿って多列形成されている。裏側の押圧用突起４は、先の尖った円錐状である。上記実施例では、押圧用突起３，４は円錐状としたが、別段形状は特定されず、角錐、円柱状であってもよい。
【００１８】
しかして、このマッサージパッドＡを手のひらに置いて握ると、角状突起５が中指と薬指の間に挟まれ、その状態で握った手のひらの形に合わせて屈曲変形する。握った手を強く握り締めた時、手のひらに接している押圧用突起３（４）が手のひら全面に強く押圧して手のひらのツボを強く押す。そして反対側の面の押圧用突起４（３）が握った指先の腹を強く押す。そして、同様に屈曲変形している長いリブ２が握った手にゴム弾性による反発力を与え、握った手を緩めるとこれに合わせてパッド本体１自体の弾発力と長いリブ２の弾発力によりマッサージパッドＡが開く方向に動く。長いリブ２がリブ先端部分２ａよりリブ後端部分２ｂの方が幅広く形成されている場合には、後端側の方の反発が若干強く、手のひらの中央をより強く押すことになる。
【００１９】
上記のように握った手を強く握り締めたり、緩めたりする動作を繰り返すと、角状突起５が中指と薬指の間に挟まれているため、マッサージパッドＡが手のひらの中で大きく踊らず、押圧用突起３（４）がほぼ同じ場所を繰り返して押圧することになり、マッサージ効果を高める。また、握る力を変えれば、押圧力も変化する。また、押圧用突起３の先端の形状により、マッサージ効果が異なる。すなわち、押圧用突起３の先端形状は半円球であるため、押圧箇所を広く押圧することになり、手のひらの表面を広く浅く押すことになる。これに対して、円錐状で先の尖った押圧用突起４の場合は、狭い範囲で深く鋭く押圧することになる。
【００２０】
また、前述のように角状突起５を指の間に挟んでおけば、手のひらを強く握ったり弱めたりするマッサージ動作を繰り返している間にマッサージ中に不用意に落とすこともない。マッサージが終了するとポケットにしまうことになるが、しまわれた状態ではマッサージパッドＡは伸びて板状となり、ポケットの中で嵩張らない。なお、マッサージパッドＡはゴム製であるから何度でも水洗可能である。
【符号の説明】
【００２１】
Ａ…マッサージパッド、Ｈ…リブの高さ、Ｓ…リブの幅、１…パッド本体、２…長いリブ、２ａ…リブ先端部分、２ｂ…リブ後端部分、３・４…押圧用突起、５…角状突起、６・７…長円弧辺、８・９…短円弧、１０…短いリブ、１０ａ…リブ先端部分、１０ｂ…リブ後端部分。
【図１】
0006636245.tif 000002
【図２】
0006636245.tif 000003
【図３】
0006636245.tif 000004
【図４】
0006636245.tif 000005